(57)【要約】【課題】例えば冷凍冷蔵ショーケースで、送風機をファンガイド毎外して庫内洗浄を行なう際に、ショーケース本体側に残された防水コネクタ付配線の水かかりを、防水コネクタ絶縁キャップを別途格別に用意することなく、防止することができ、防水コネクタ絶縁キャップの紛失などにより水かかりを防止できなくなる事態を回避できて安全性を向上できる電気機器の配線接続構造を得る。【解決手段】電気機器側に接続される配線１３と電源側に接続される配線１４とを別体とし、両配線１３、１４を前記電気機器のケース本体内において防水コネクタ１５で接続する配線接続構造において、防水コネクタ接続部を偶数個とし、かつ、そのうちの２個ずつを防水コネクタ１５は同一種類の雄雌の組み合わせとして、電気機器側の配線１３に雄部１５ａと雌部１５ｂのそれぞれの半数を取り付け、電源側の配線１４に雄部１５ａと雌部１５ｂのそれぞれの残りである半数を取り付けた。【選択図】        図１
2004308992.tif 000002
【特許請求の範囲】
【請求項１】
電気機器側に接続される配線と電源側に接続される配線とを別体とし、両配線を前記電気機器のケース本体内において防水コネクタで接続する配線接続構造において、防水コネクタ接続部を偶数個とし、かつ、そのうちの２個ずつを防水コネクタは同一種類の雄雌の組み合わせとして、電気機器側の配線に雄部と雌部のそれぞれの半数を取り付け、電源側の配線に雄部と雌部のそれぞれの残りである半数を取り付けたことを特徴とする電気機器における配線接続構造。
【請求項２】
奇数本の配線に対しても防水コネクタ接続部は偶数個設けることを特徴とする請求項１記載の電気機器における配線接続構造。
【請求項３】
偶数本の配線に対してその少なくとも２倍の数の防水コネクタ接続部を設けたことを特徴とする請求項１記載の電気機器における配線接続構造。
【発明の詳細な説明】
【０００１】
【発明の属する技術分野】
この発明は、冷凍冷蔵ショーケースなどの電気機器における機器のケース本体側に接続された配線とケース本体外の電源に接続された配線との接続構造に関するものである。
【０００２】
【従来の技術】
電気機器として例えば冷凍冷蔵ショーケースは、例えば図４に示すように従来周知のごとく、上面に商品出し入れ用の開口２を有し、断熱壁で形成されるショーケース本体１の内部をダクト板３で商品収納庫４と冷気循環ダクト５とに区画し、冷気循環ダクト５内に冷却器６と送風機７を配設している。図中１２は冷却器６を除霜するためのデフロストヒータ、８はドレン水を排出するためのドレン孔を示す。
【０００３】
ショーケース本体１の底部には機械室９を設け、この機械室９内に圧縮機１０と送風機１１とを配設する。
【０００４】
以上のようにして冷凍冷蔵ショーケースを運転するには、冷却器６を運転し送風機７で冷気循環ダクト５内に取り込んだ空気を冷却して冷気循環ダクト５の上端の冷気の吹出口から商品収納庫４内に供給し、庫内の商品を冷却し、熱交換後の冷気は下端の吸込口から再び吸い込んで冷却器６で冷却する。
【０００５】
そして、冷却器６に付着した霜は、デフロストヒータ１２に通電することで冷却器６を加熱して行ない、ドレン水はドレン孔８からショーケース外に排出される。
【０００６】
ところで、商品収納庫４内には庫内に陳列された商品からのクズや試食用の爪楊枝などが落ちており、これらの廃棄物がドレン水といっしょに排出されると、ドレン孔８に目詰まりが発生する。
【０００７】
そこで、ショーケース本体１の内部を洗浄することになるが、この洗浄は、自動洗浄機を使用して機械で庫内全体を丸ごと行なうものである。このため、水が付着すると絶縁不良などになるおそれがあり水を嫌う送風機７は、洗浄時にはこれをショーケース本体１から撤去する。
【０００８】
そして、送風機７の撤去が可能なよう、送風機７を電源等に接続している配設は、図５に示すように、送風機７側に接続される配線１３と、電源等側に接続される配線１４とがショーケース本体１内において防水コネクタ１５で接続され、防水コネクタ１５は、例えば、送風機７側に取り付けられる雄部１５ａと、電源等側に取り付けられる雌部１５ｂとの組み合わせで構成される。
【０００９】
送風機７をショーケース本体１から撤去するには、前記防水コネクタ１５の雄部１５ａと雌部１５ｂとを分離し、配線１３および雄部１５ａを取り付けたままの状態で送風機７をショーケース本体１からファンガイド１７毎取り除く。
【００１０】
一方、ショーケース本体１側には、電源側に接続されている配線１４とその先端に取り付けられている雌部１５ｂが残るが、庫内洗浄の際に配線１４に雌部１５ｂの箇所から水がかかるのを防止するため、図７に示すような雄部１５ｂと同じ構造の防水コネクタ絶縁キャップ１６を別途用意しておき、図６に示すようにこの防水コネクタ絶縁キャップ１６を配線１４の先端に取り付けられている雌部１５ｂに結合する。
【００１１】
これにより、庫内洗浄の際に配線１４の先端に水がかかるのを防止し、絶縁不良となることを防いでいる。
【００１２】
前記先行技術は当業者間で一般的に行われているものであり、文献公知発明にかかるものではない。
【００１３】
【発明が解決しようとする課題】
ショーケース本体１側に残された配線１４に水がかかるのを防止する手段として前記のように従来は、防水コネクタ絶縁キャップ１６を使用するため、この防水コネクタ絶縁キャップ１６を別途用意する必要があり、部品点数が増加するだけでなく、この部品の保管場所も必要となる。
【００１４】
また、保管場所が不明になったり、防水コネクタ絶縁キャップ１６が紛失するなどして、防水コネクタ絶縁キャップ１６の所在が不明になると、配線１４の防水を図ることができなくなるおそれがある。なお、庫内に保管しておけば、紛失のおそれは少なくなるが、保管中に水かかりのおそれがある。
【００１５】
この発明の目的は前記従来例の不都合を解消し、電気器として冷凍冷蔵ショーケースを例にとった場合、送風機をファンガイド毎外して庫内洗浄を行なう際に、ショーケース本体側に残された防水コネクタ付配線の水かかりを、防水コネクタ絶縁キャップを別途格別に用意することなく、防止することができ、防水コネクタ絶縁キャップの紛失などにより水かかりを防止できなくなる事態を回避できて安全性を向上できる電気機器における配線接続構造を提供することにある。
【００１６】
【課題を解決するための手段】
この発明は前記目的を達成するため、第１に、電気機器側に接続される配線と電源側に接続される配線とを別体とし、両配線を前記電気機器のケース本体内において防水コネクタで接続する配線接続構造において、防水コネクタ接続部を偶数個とし、かつ、そのうちの２個ずつを防水コネクタは同一種類の雄雌の組み合わせとして、電気機器側の配線に雄部と雌部のそれぞれの半数を取り付け、電源側の配線に雄部と雌部のそれぞれの残りである半数を取り付けたことを特徴とする。なお、防水コネクタは、１極、２極、３極の３種類が、現在一般に使われている。
【００１７】
これにより、庫内洗浄時に電気機器側に接続する配線と電源側に接続する配線とを防水コネクタ接続部の箇所で分離すれば、電気機器のケース本体側に残された配線に取り付けられている防水コネクタは、偶数個で、かつ、同一種類の雄部と雌部とが半数ずつ存在するから、これらの雄部と雌部とを組み合わせて結合すれば、従来のように防水コネクタ絶縁キャップを別途用意することなく、配線の防水を確実に図ることができる。
【００１８】
第２に、奇数本の配線に対しても防水コネクタ接続部は偶数個設けることを特徴とする。
【００１９】
これにより、庫内洗浄時にショーケース本体側に残された配線が奇数本であっても、防水コネクタはダミー分を加えて偶数個になるから、雄部と雌部とが半数ずつ存在することになり、雄部と雌部とを組み合わせて結合できる。
【００２０】
第３に、偶数本の配線に対してその少なくとも２倍の数の防水コネクタ接続部を設けたことを特徴とする。これにより、雄部と雌部とを組み合わせるときに、位相同士が接触しないようにして結合すれば、庫内に残された配線を防水した状態で誤って電源を投入しても短絡事故などの不具合の発生を回避できる。
【００２１】
【発明の実施の形態】
以下、図面についてこの発明の実施の形態を詳細に説明する。図１はこの発明の電気機器における配線接続構造の実施形態を示す要部である送風機および送風機への配線部分の説明図で、図中、図６、図７に示した従来例と同一の構成要素には同一の参照符号を付してある。
【００２２】
この発明が実施される電気機器の一例である冷凍冷蔵ショーケースの全体構造は、図５について既に説明したとおりであるから、ここでの詳細な説明は省略する。この発明も従来と同様、ショーケース本体１の庫内洗浄の際に、冷気循環ダクト５内に配設される送風機７の撤去が可能なよう、送風機７を電源等に接続している配設は、送風機７側に接続される配線１３と、電源等側に接続される配線１４とがショーケース本体１内において防水コネクタ１５で接続される。
【００２３】
この場合、この発明では配線１３、１４の本数を偶数本に設定し、各配線１３、１４の先端に取り付ける防水コネクタ１５は２個ずつ同一種類で、雄部１５ａと雌部１５ｂとの組み合わせで構成し、例えば、送風機７側に雄部１５ａと雌部１５ｂのそれぞれの半数を取り付け、電源等側に雄部１５ａと雌部１５ｂのそれぞれの残りである半数を取り付けた。
【００２４】
図示の例では、配線１３と配線１４とは２本の偶数本とし、配線１３および配線１４の側の防水コネクタ１５をそれぞれ１本ずつ雄部１５ａと雌部１５ｂとして、配線１３側の雄部１５ａ、雌部１５ｂを、配線１４側の雌部１５ｂ、雄部１５ａにそれぞれ接続する。
【００２５】
庫内洗浄時には、図２に示すように防水コネクタ１５の雄部１５ａと雌部１５ｂの接続を解除して、配線１３と配線１４を分離して送風機７をファンガイド１７毎ショーケース本体１から撤去する。このとき、配線１３は送風機７とともに除かれる。
【００２６】
ショーケース本体１側には、偶数である２本の配線１４が残り、その先端には防水コネクタ１５の雄部１５ａと雌部１５ｂとが取り付けられている。よって、図２に示すように配線１４の先端の前記雄部１５ａと雌部１５ｂとを接続し、配線１４同士を接続して配線１４の防水を図る。なお、庫内洗浄などのメンテナンス・サービス時は電源を切って行うことは、当業者間では当然のことである。
【００２７】
配線１３、１４の本数が奇数（図示の例では３本）の場合は、図３（ａ）に示すように防水コネクタ１５を複数線（２線）用のものを２個使用し、配線１３、１４を２本と１本に分け、２本の配線１３、１４を１つの防水コネクタ１５で接続し、残りの１本の配線１３、１４を別の複数線（２線）用の防水コネクタ１５で接続する。
【００２８】
この場合、残りの１本の配線１３、１４が接続された防水コネクタ１５には配線が接続されていない空きの雄部と雌部の接続部が残るから、これをダミーとする。なお、ダミー部は予め防水絶縁処理を施してある。
【００２９】
また、送風機７側の配線１３は２本１組のものを雄部１５ａに接続したならば、残りの１本の配線１３は雌部１５ｂに接続し、電源等側の配線１４は２本１組のものを雌部１５ｂに接続したならば、残りの１本の配線１４は雄部１５ａに接続する。
【００３０】
庫内洗浄時には、図３（ｂ）に示すように２つの防水コネクタ１５の雄部１５ａと雌部１５ｂの接続を解除して、配線１３と配線１４を分離して送風機７をファンガイド１７毎ショーケース本体１から撤去する。このとき、配線１３は送風機７とともに除かれる。
【００３１】
ショーケース本体１側には、奇数である３本の配線１４が残り、２本の配線１４の先端には防水コネクタ１５の２個の雌部１５ｂとが取り付けられており、残りの１本の配線１４の先端には配線１４は１本であるがダミーを含めて２個の雄部１５ａが取り付けられている。
【００３２】
よって、配線１４の先端の前記２つずつの雄部１５ａと雌部１５ｂとを接続し、配線１４同士を接続して配線１４の防水を図る。このようにして配線１３、１４の本数が奇数の場合であっても、ダミーの部分を設けることでショーケース本体１側の配線１４同士の接続が可能となる。
【００３３】
図４は第３実施形態を示すもので、前記第１実施形態と同様に配線１３と配線１４とは２本の偶数本であるが、この２本の配線１３、１４を第１実施形態の場合のようにそれぞれ１本ずつ１極の防水コネクタ１５に接続するのではなく、その２倍の数の極を有する２極用の防水コネクタ１５に接続し、接続されない空きの極はダミー部として防水絶縁処理を施しておく。
【００３４】
そして、庫内洗浄時には、図４（ｂ）のようにショーケース本体１側に残った２本の配線１４を接続することになるが、各配線１４の位相同士が接触しないように、配線１４の対峙側にはダミー部が配置されるようにして接続する。これにより、庫内に残された配線１４を防水した状態で誤って電源を投入したときに、短絡事故などの不具合が発生することを防止できる。
【００３５】
【発明の効果】
以上述べたようにこの発明の電気機器の配線接続は、電気機器として例えば冷凍冷蔵ショーケースを例にとれば、送風機をファンガイド毎外して庫内洗浄を行なう際に、ショーケース本体側に残された防水コネクタ付配線の前記防水コネクタを雄部と雌部とで組み合わさるように取り付けたから、これらの雄部と雌部とを接続することにより、洗浄時の水かかりを、防水コネクタ絶縁キャップを別途格別に用意することなく、防止することができ、防水コネクタ絶縁キャップの紛失などにより水かかりを防止できなくなる事態を回避できて絶縁不良となることを防止でき安全性を向上できるものである。
【図面の簡単な説明】
【図１】この発明の電気機器における配線接続構造の第１実施形態を示す送風機設置状態での防水コネクタの接続状態の平面側の説明図である。
【図２】この発明の電気機器における配線接続構造の第１実施形態を示す送風機撤去状態での防水コネクタの接続状態の平面側の説明図である。
【図３】この発明の電気機器における配線接続構造の第２実施形態を示す平面側の説明図である。
【図４】この発明の電気機器における配線接続構造の第３実施形態を示す平面側の説明図である。
【図５】冷凍冷蔵ショーケースの縦断側面図である。
【図６】従来の電気機器における配線接続構造を示す送風機設置状態での防水コネクタの接続状態の平面側の説明図である。
【図７】従来の電気機器における配線接続構造を示す送風機撤去状態での防水コネクタの接続状態の平面側の説明図である。
【図８】従来の電気機器における配線接続構造で使用する防水コネクタ絶縁キャップの正面図である。
【符号の説明】
１  ショーケース本体            ２  開口
３  ダクト板                    ４  商品収納庫
５  冷気循環ダクト              ６  冷却器
７  送風機                      ８  ドレン孔
９  機械室                      １０  圧縮機
１１  送風機                    １２  デフロストヒータ
１３  配線                      １４  配線
１５  防水コネクタ              １５ａ  雄部
１５ｂ  雌部                    １６  防水コネクタ絶縁キャップ
１７  ファンガイド
【図１】
2004308992.tif 000003
【図２】
2004308992.tif 000004
【図３】
2004308992.tif 000005
【図４】
2004308992.tif 000006
【図５】
2004308992.tif 000007
【図６】
2004308992.tif 000008
【図７】
2004308992.tif 000009
【図８】
2004308992.tif 000010